(57)【特許請求の範囲】
【請求項１】
底板と、底板の一方側が開放された開放部を形成して底板を囲むように設けられた側板とから成るごみとり器において、
前記側板に、電気掃除機に接続される接続パイプを設け、
前記開放部側に底板との間に所定間隔の隙間を形成するとともに、開放部側を除く各側板との間には隙間を設けず、前記開放部側から前記開放部に対向する側板に、前記接続パイプが接続される位置よりも上方位置に向けて傾斜してシュートを設けたことを特徴とするごみとり器。
【請求項２】
前記シュートの上方に、モップ等を接触させながら動かすことによってごみを落とすスクリーンを設けたことを特徴とする請求項１記載のごみとり器。
【発明の詳細な説明】
【０００１】
【発明の属する技術分野】
本発明は、掃除用具としての電気掃除機に接続できるごみとり器に関するものである。
【０００２】
【従来の技術および解決しようとする課題】
室内を掃除する掃除用具として、従来より電気掃除機、ほうき、はたき、モップ等が用いられている。
これらの掃除用具にはそれぞれ特徴があり、一般的な電気掃除機は、隅々のごみまで吸い取るが、その構成が吸込口からパイプ、モーターがある本体部、該本体部とパイプを接続している蛇腹のホース等より成っていて機器の構成が複雑で大掛りである、特にお年寄りには不向きであるという課題がある。
昔ながらのほうきと、はたきは隅々まで掃除ができ和室の掃除には有効であるが、ただほこりが立つのが欠点であることと、そのごみの処理に手間が掛かるという課題がある。
【０００３】
モップは磨くという機能もあり、構成がシンプルで軽く、効率良く掃除ができる。しかしながらごみの始末に手間が掛かる、またモップ自体の掃除も思うようにならない場合が多く、レンタル会社にそのまま出して料金を支払っている場合が多い。
一般家庭において、床面をモップで掃除したときごみは、モップ自体に付着するものと、付着しないものがある、付着しないものは一般のほうきとごみとり器でごみをとるか、電気掃除機で吸い取るかが主な方法である。またモップに付着したごみを落とすためには屋外に持って行き、モップを振ってごみを落としたり、電気掃除機で吸い取らせたりしているが思うようにごみが落ちずに苦労しているという課題がある。
【０００４】
そこで、本発明は上記課題を解決すべくなされ、その目的とするところは、簡便かつ気軽に使用できる掃除用具で、電気掃除機と接続して使用することができるごみとり器を提供することにある。
【０００５】
【課題を解決するための手段】
本発明は上記課題を解決するために、次の構成を備える。
すなわち、底板と、底板の一方側が開放された開放部を形成して底板を囲むように設けられた側板とから成るごみとり器において、前記側板に、電気掃除機に接続される接続パイプを設け、前記開放部側に底板との間に所定間隔の隙間を形成するとともに、開放部側を除く各側板との間には隙間を設けず、前記開放部側から前記開放部に対向する側板に、前記接続パイプが接続される位置よりも上方位置に向けて傾斜してシュートを設けたことを特徴とする。
前記シュートの上方に、モップ等を接触させながら動かすことによってごみを落とすスクリーンを設けたことを特徴とする。
本発明に係るごみとり器によれば、ごみとり器に電気掃除機を接続することにより、傾斜されて形成されているシュート上に落ちたごみが前方に向かってすべり落ち、シュートと底板との間に設けた隙間より電気掃除機の吸気によりごみが勢い良く電気掃除機に吸い込まれる。
スクリーン上でモップ等をスクリーンに接触させながら動かすことによって、モップ等に付着したごみが剥離して落とされ、シュート上をすべり落ちて電気掃除機に吸いこまれる。
【０００８】
【発明の実施の形態】
以下、本発明の好適な実施形態について添付図面と共に詳述する。
（第１実施形態）
まず、図１〜図６に基づいて本発明に係るごみとり器の第１の実施形態の構成について説明する。
ごみとり器２０は底板１に側板としての側面垂直板３及び後面垂直板４をとりつけてケーシング１９を形成し、一般電気掃除機を接続するための接続パイプ２を後面垂直板４の下部に穴を開け、回転自在に取り付けられている。
図４のシュート５はごみ取り入れ部であるエプロン１ａの後方から斜め上方に後面垂直板４に向かって設けられている。シュート５の下方の先端部５ａは底板１と平行に適当な隙間２ａができるように、両側の折曲げ先端部で底板に当たって支えていると共に両側面垂直板３の下方内側に叙けた凸部３ａにシュート５の先端部５ａが当たって掛止している。シュート５の前方以外の他の縁はそれぞれ側面垂直板３及び後方垂直坂４の上下方向の中央部に設けた棚４ａにシュート５の折曲げ部５ｂが掛止している。
【０００９】
底板１の前方エプロン１ａからシュート５にほぼ平行に、後面垂直板４までの間にわたりシュート５に覆いかぷさるようにスクリーン６を設けている。
図５はスクリーン６の上面図、図６はスクリーン６の側面図である。スクリーン６は、縦棒６ａと横棒６ｂからなる格子状体をなしていて、下方６ｃは底板１のエプロン１ａ部に当接している。また、スクリーン６の上方の両端の縦棒の先端６ｄは６ｂよりも下方に位置するように折曲げられて下方に突出している。この縦棒の先端６ｄはシュート５の折曲げ部５ｂの穴５ｃを貫通してさらに棚４ａに貫通してシュート５とスクリーン６をケーシング１９内で遊動しないようにしている。
モップを縦棒方向に沿って移動させる為スクリーン６の縦棒６ａは横棒６ｂより上方に位置してモップの移動を容易にしている。
側面垂直板３は、モップが摺動するときのガイド作用とごみが外部にもれない作用を有するものであり、スクリーン６の高さより適度な高さを保ちながら前方は低く、後方は高く三角形状をなして後面垂直板４に接続している。後面垂直板４は長方形をなし、側面垂直板３と同様にごみが外にもれない作用と、モップをスクリーン６上で移動させた際に後方へ行き過ぎないためのストッパーとしての作用を有し、これによって作業性を良くしている。
【００１０】
底板１の後方下部には首振り自由なゴム足７を左右に底板１に取り付けてエプロン１ａの先端が床に接触したときに、床と底板１とが角度α°（図７参照）をなすようにし、ごみがケーシング１９内に入れやすく、とりこぼしを無くすようにすると同時にケーシング１９の安定性を持たせている。またゴム足７の代わりに車輪を使用して移動を容易にすることも可能で、この場合は車輪をブレーキ付にして、ブレーキを適時に使用するようにすることも可能である。さらに、ゴム足と車輪を併用して移動をしやすくし、ごみの取り入れ時は車輪をはね上げる機構等にすることもできる。
【００１１】
取手８は棒鋼をコの字形に形成し、両端を内側にほぼ９０°折り曲げ、ひっかかり部を作った形状に形成され、両側面垂直板３のほぼ中央部に穴を開けてひっかかり部を支軸として差し込み、穴を中心に取手８が円弧状に回動できるようにしてごみとり器２０の持ち運びを可能にしている。なお、取手８の先端部は剛性により自由に取り外し可能で、先端部の差し込む穴の位置はごみとり器の重量配分を考え、取手８を持ち上げたとき、前方のエプロン１ａが若干上方に持ち上げるようにし、その際に取手８が適度の角度を保って掛止するためのストッパー９を設けている。
【００１２】
本実施形態の構成部品はゴム足７と接続パイプ２以外は金属からなるが、同等または同等以上の利点があればプラスチック等非金属体によって形成するのがよい。また、電気掃除機の製品によっては接続パイプ２と接続するパイプ径が若干異なるため、異径のパイプを接続できる構造にすることも必要である。
【００１３】
図３は実際の使用例を示すものであって電気掃除機の本体２５、蛇腹ホース２６、及び接続パイプ２７よりなる電気掃除機にごみとり器２０を接続した状態を示す。
ごみとり器を使用する際は、電気掃除機の吸い取り口を外し、代わりに本器を取り付け、モップでごみと共に床を摺らせて来て、ごみとり器のスクリーン上に取り込み、スクリーン上でモップを往復動作することにより、モップによって運ばれてきたごみを電気掃除器に吸い取らせると共に、モップ自体に付着したごみを落とし、モップに付着したごみを電気掃除機に吸い取らせる。また、電気掃除機に接続しない状態で単独で一般のごみとり器と同様に使用し、最後に電気掃除機に接続してごみを電気掃除機に吸い取らせたり、モップ自体の掃除を行なうようにしてもよい。
【００１４】
ごみとり器２０は図７のように床に置いて使用する。底板１の下部にゴム足７がついているから底板１は床に対して角α°で傾き、エプロン１ａの先端が床にぴったりと接して、動かないようになっている。ごみのついたモップのごみを落とす場合を例にとると、図３のようにごみとり器２０を電気掃除機に接続して電気掃除機のスイッチを入れ、モップを図７の矢印Ａ方向に床を摺らせてごみと共にエプロン１ａ上に移動させ、続いてスクリーン上に入れる。このときモップと共に移動してきたごみの大部分は底板１とシュートの先端部５ａの隙間２ａより矢印Ｂのように電気掃除機２５に吸い込まれる、
【００１５】
しかし、モップにしっかり付着したごみは簡単には落ちないため、矢印Ｃのようにスクリーン上でモップを往復運動させる。するとモップのたれ下がったひも状部がスクリーンの横棒６ｂにひっかかり何度か往復運動を繰り返しているうちにしつこいごみもシュート５の上に落ちる。次にシュート５上に落ちたごみはシュート５上を下方の先端部５ａに向かって自然に摺り落ちるものと、モップの往復運動による風圧及び振動等も加わってシュート５上を摺り落ちるものが、矢印Ｄのように底板１とシュートの先端部５ａの隙間２ａより電気掃除機２５に吸い込まれる。
なお、上記作業でスクリーン６上に残った大きなごみは手で取り除くことはいうまでもない。さらに粒状の重いものは取手８で少し持ち上げることによりエプロン１ａ部が上がり、ごみは吸い込み口２ａより奥へ入り最終的に電気掃除機２５に吸い込まれる。また、図示はしていないがごみとり器２０の先端近くに光電スイッチ等と簡単な制御回路を組み、モップが来たときのみスイッチが入り電気掃除機を作動させ、モップがごみとり器から離れたらスイッチが切れ電気掃除機も停止するようにすることも可能である。
【００１６】
また掃除場所が狭い場合、混み入ったところのモップ掛けの掃除のときは、ごみとり器２０は、単独で持ち運びして一般のごみ取りと同様に使用し、最後に広い場所で電気掃除機を図３のように接続してごみとり器内のごみを電気掃除機に吸い取らせたり、モップ自体の掃除をすることも便利である。なお、単独でごみとり器として使用し、後に電気掃除機に接続してごみ処理をするときに便利なように接続パイプ２をほぽ９０°回転させてケーシング１９内に収納したり、接続パイプ２をケーシング１９から抜く構造にして、接続パイプ２を抜いた後のケーシング１９の穴はプレートで塞がる構造等にすることも可能である。
【００１７】
従来のほうきと、はたきを使用して和室など掃除するときも、上記のようにごみとり器２０を単独で使用して最後に電気掃除機に接続してごみを吸い取らせることも可能である。
また、図８に示すように、ごみとり器２０の使い方として、まずスクリーン６を外し次にシュート５を取り外すと一般のごみ取り器状になり、この状態で上記のように使用することもできる。また簡単に脱着ができるため、ごみとり器自体の手入れ、清掃を簡単に行うことができる。
【００１８】
図９、１０、１１はごみとり器の第１の実施形態を変形した実施形態を示す。図１０は図９のＡ−Ａ断面図、図１１はＢ−Ｂ断面図である。このごみとり器２０では、上述したごみとり器２０にくらべて、シュート５の前端部を底板１の前端部近傍まで延出させたこと、シュート５を覆うように設置するスクリーン６の形状を変えたことを特徴とする。
シュート５は前端側が上下に可動となるよう後面垂直板４に支持され、側面垂直板３に取り付けた調節つまみ８１により底板１との離間間隔が調節できる。図１０では、調節つまみ８１の係止軸がシュート５に設けた長孔８２に係合し、長孔８２内で係止軸が移動してシュート５と底板１との離間間隔が調節できることを示す。このシュート５と底板１との離間間隔を調節することでごみの吸い込み力を調節でき、またごみの種類に応じてごみを吸い込みしやすくすることができる。
【００１９】
シュート６が縦棒６ａと横棒６ｂとからなることは上記実施形態のシュート６と同様であるが、本実施形態では横棒６ｂを縦棒６ａの上に配置する構成としている。これによって、モップをスクリーン６上で前後に移動させた際に、モップに強く付着したごみを落としやすくすることができる。また、図１１に示すように、スクリーン６に設ける縦棒６ａと横棒６ｂを完全な格子状に形成せず、縦棒６ａについては１本おきに、中間に空きスペース６ｅが形成されるようにしている。また、図９に示すように、縦棒６ａの先端部の延出長さを１本ごとに長短としている。スクリーン６の中途位置に空きスペースを設けることによって、モップにからまって付着した大きなごみなどをモップからシュート５上に落ちやすくすることができる。
【００２０】
図１２にスクリーン６の配置を示す。図１２(b)は、番号１、５、７、９、１３についての縦棒６ａの形状、図１２(c)は、番号３、１１の縦棒６ａの形状、図１２(d)は、図１２(a)のＡ−Ａ断面図を示す。番号２、４、６、８、１０、１２の縦棒６ａは図１２(d)に示す形状となる。図１２(c)に示す縦棒６ａの基部側が他の縦棒６ａにくらべて長く形成されているのは、後面垂直板４に設けた棚４ａに係止させるためである。
【００２１】
図１３は、スクリーン６のさらに他の構成例を示す。図１３(b)は、番号１、７、１３の縦棒６ａの形状、図１３(c)は番号３、１１の縦棒６ａの形状、図１３ｄは、図１３(a)のＡ−Ａ断面図を示す。番号２、４、５、６、８、９、１０、１２の縦棒６ａは図１３(d)の形状をなす。図１３(c)に示す縦棒６ａの基部が他の縦棒６ａにくらべて長く形成されているのは、後面垂直板４に設けた棚４ａに縦棒６ａを係止させるためである。
本実施形態のスクリーン６では、両端部の縦棒６ａを除いた縦棒６ａを中途位置で上方にＬ字形に折り曲げ、スクリーン６の中途部分に空きスペースを設けたことを特徴とする。縦棒６ａに上方に突出する形状の折曲部６ｆを設けたことにより、モップをスクリーン６上で前後に動かした際に、モップに強くからみあって付着したごみをさらに確実に落とすことができるようになる。
【００２２】
図１４、１５はごみとり器の第１の実施形態をさらに変形した実施形態を示す。図１５は図１４のＡ−Ａ断面図である。本実施形態のごみとり器２０では、シュート５０の上面にスクリーン６を設けるかわりに、ごみ落とし用の突起体８５を起立させて形成したことを特徴とする。本実施形態では平板なフィン状に突起体８５を形成し、フィンの面をシュート５の前後方向に平行にして、シュート５上に突起体８５をジグザグ配置としている。
このように、シュート５上に突起体８５を設ける方法によっても、モップをシュート５上で前後方向に移動させてモップに付着したごみを落とすことができる。シュート５上から突出する形態に突起体８５を設けることで、モップに毛などが強くからみあって付着しているような場合でも、容易にごみを落とすことができるようになる。突起体８５は平板状に形成するものの他、円柱状に形成したものを使用してもよい。
なお、シュート５やスクリーン６は交換してセットすることが可能であり、用途に応じて最適なシュート５やスクリーン６を使用すればよい。
【００２３】
図１５において、８８は接続パイプ２を後面垂直板４に可動に取り付けるためのゴムスリーブである。８９は接続パイプ２を脱着可能に取り付ける嵌合筒であり、嵌合筒８９がゴムスリープ８８を介して後面垂直板４に支持されている。これによって、嵌合筒８９は向きが可変となり、接続パイプ２を介して電気掃除機をごみとり器２０に連結した際に、ごみとり器２０が自在な向きにすることができる。また、嵌合筒８９に接続パイプ２を挿入して脱着する構成とすることで、電気掃除機の機種に合った接続パイプ２を連結して使用することが容易になる。また、図１０、１１に示したと同様に、本実施形態のごみとり器２０では、後面垂直板４の高さ寸法を、傾斜して設置されているシュート５の基部側の高さに略等しく設定し、シュート５上でモップを移動させた際に後面垂直板４にモップが当接してモップの移動位置が規制されることがないようにした。すなわち、後面垂直板４の高さを低くすることにより、シュート５を超えて前後方向にモップを動かすことができるようにし、これによってモップにしつこく付着しているごみを容易に落とすことが可能となる。
【００２４】
（第２実施形態）
次に、図１６〜図１９に基づいて本発明に係るごみとり器の第２の実施形態の構成について説明する。
但し、上記実施形態と同一の構成要素については、同一の符号を付し説明を省略する場合がある。
本実施形態のごみとり器５０は側方を開放した箱状ケーシング３１の下方の前後に車輪３２を４個取り付け、ケーシング３１の上部にモーター３３と電気掃除機３４を搭載している。
左右の側路板３５は蝶番３６を軸にほぼ０°〜９０°の範囲で回転できる構造となっている。
【００２５】
ケーシング３１の上方に搭載されたモーター３３はブラケット３３ａによってケーシングに固定され、モーター３３の回転軸にプーリー３３ｂを取り付け、プーリー３３ｂはベルト３３ｃを介して、ケーシング３１の下方に軸受３７に軸支された軸３８に固定したプーリー３３ｄに連結している、
さらに、図１８の図面上部に示すように軸３８に固定されている歯車４２と、軸３８と同様に軸受３７に軸支されている軸３９に固定されている歯車４３と噛み合っている。
【００２６】
一方、軸３８に固定されている他方のプーリー３３ｄは、ベルト３３ｅを介して、前記軸３８、軸３９と同様に軸受３７によって軸支された軸４０に固定されたプーリー３３ｆに連結している。
さらに、軸４０に固定された歯車４４は歯車４５と噛み合って軸４１を回転可能にしている。
また、それぞれの軸３７〜軸４０にはピン４６を溶接等により固定して、軸３７〜軸４０に対応して回転体３８Ａ〜回転体４１Ａとしている。
【００２７】
車輪３２は軸３２ａに回転自由に軸設され、軸３２ａはケーシング３１とケーシング３１の内面下部に固定された金具３２ｂによって固定している。
接続パイプ２は、パイプ３４ａと接続してさらに電気掃除機３４に接続されている。
左右のシュート４７は、それぞれケーシング３１の内面下方に設けた棚３１ａよりケーシング３１の底板の中央部に向かって下り勾配で配置し、シュートの先端は、ケーシングの底板に凸部を形成したストッパー３１ｂに掛止している。
他方のシュート４８は中央部を頂点として、接続パイプ２の上方より左右対称に下り勾配で左右下方に向かって山形を形成し、シュート４８の先端はそれぞれ、左右のシュート４７の下端面と適当な隙間を平行して保持するようにケーシングの内側に突出したアーム３１ｃに掛止させている。
【００２８】
スクリーン６は、第１実施形態のスクリーン６と同様に縦棒６ａと横棒６ｂからなる格子状体をなしていて回転体３８Ａ〜回転体４１Ａ上方に位置している。縦棒６ａの両端は、それぞれ左右のシュート４７の上端部上に置いている。
【００２９】
次に、主要な構成部品の位置関係を述べると、図１９において開放された側路板３５の上方の蝶番３６上の高さは、スクリーン６の上面とほぼ一致している、また回転体３８Ａ〜回転体４１Ａのピン４６の先端の回転軌跡はスクリーンの下面より下方にあり、且つ下方のシュートにも適度な隙間ができる位置に配置している。
【００３０】
次に、本実施形態のごみとり器の作用について説明する。
本実施形態のごみとり器５０を使用するときは、図１９のように側路板３５は使用する側を開放して他方の側路板はケーシング３１に格納する。
モーター３３と電気掃除機３４を起動すると、先ず、モーター３３の回転軸に取り付けたプーリー３３ｂが回転し、モーター３３の動力はベルト３３ｃよりプーリー３３ｄに伝達し、次に、３８Ａの回転体が回り、軸３８に固定された歯車４２が回転し、歯車４２に噛み合っている歯車４３を回転させ、歯車４３と同軸の回転体３９Ａを回転させる。このとき回転体３８Ａと回転体３９Ａは回転方向が反対である。
【００３１】
一方、軸３８に固定された他方のプーリー３３ｄは、ベルト３３ｅを介してプーリー３３ｆを回転させ同軸の回転体４０Ａを回し、さらに軸４０に固定された歯車４４を回転させ、歯車４４と噛み合っている歯車４５を回転させ、同軸の回転体４１Ａを回している。
通常の回転方向は矢印のように回転させているが、モップの種類等により反対方向に回すことも可能である。
【００３２】
次に、電気掃除機３４の起動により、吸気の流れは左右のシュート４７の下方上面とシュート４８の左右の下方先端部の隙間より勢いよくケーシング３１の底面中央部寄りに入り接続パイプ２を通って外の電気掃除機３４のパイプ３４ａを通り最終的に電気掃除機３４に入る。
【００３３】
ごみと共にモップを矢印ｃのように側路板３５を摺べらせてスクリーン上に移動するとごみはスクリーン６を抜けて下方のシュート４７、シュート４８上に落ちる。
シュート上に落ちたごみは、それぞれのシュート上を摺り落ちシュート４７とシュート４８とのすき間を通って接続パイプ２内に入りパイプ３４ａを通って電気掃除機３４に吸い込まれる。
モップ自体についたしつこいごみは、回転体３８Ａ〜回転体４１Ａのピン４６によって叩かれ、モップを矢印Ｅのように前後に移動することによって下方のシュート上に落とされ、前記と同様に、ごみは電気掃除機３４に吸い込まれる。
【００３４】
掃除が終わったり、他の場所の掃除をしたりするときはモーター３３と電気掃除機３４の電源を切り側路板３５を上方にはね上げてケーシング３１に格納してごみとり器５０を移動させる。
なお、移動させるための取手、及びハンドルは必要に応じて適当な位置に取り付ける（図示せず）。
【００３５】
本実施形態のごみとり器５０のモーター３３及び電気掃除機３４の起動、停止は、ごみとり器５０内に、光電スイッチまたはリミットスイッチ等と簡単な制御盤を取り付けて、モップが側路板３５の上方にさしかかったときからモーター３３及び電気掃除機３４が起動して、モップがごみとり器５０から離れたらモーター３３及び電気掃除機３４が停止する等の制御は簡単に行えるため、自動化することが望ましい。
なお、モップに付着したごみを叩き落とす手段としては、上述したように回転体とピンのような構造に限定はされず、他の構造でもよい。
【００３６】
（第３実施形態）
次に、図２０、図２１に基づいて本発明に係るごみとり器の第３の実施形態の構成について説明する。
本実施形態のごみとり器７０は上方を開放した箱状であってケーシング５５及び電機掃除機２５を収納しているケーシング６０と共に図２０のように床下に設備して、使用時はカバー５６を外して掃除作業を行なう。また、電気掃除機２５においてごみ収納袋がいっぱいになって取り出すとき、あるいはメンテナンスのときはカバー５７を外してこれを行なう。
【００３７】
図２０においてケーシング５５の上下方向のほぼ中間部に棚５５ａを設け棚５５ａよりケーシング５５の底板中央部に向かって下り勾配に四角垂状のシュート５８を棚５５ａへ掛止させている。
また、シュート５８の下端は正方形状の穴が形成され、ケーシング５５の底板とは適当な隙間が形成されている。
【００３８】
シュート５８の上方には縦棒６ａと横棒６ｂからなるスクリーン６がはぼ正方形状でシュート５８上に置かれている。スクリーン６は縦棒６ａが横棒６ｂの上に位置しているのが通常であるが９０°位置を変えて配置することもできる。また、表と裏のどちらを上にしても置くことができる。
電気掃除機２５と接続する接続パイプ２はケーシングの底板とシュート５８の間に位置させケーシング５５の側板に設けている。
ケーシング５５は床に掛止させるか、根太にブラケット等をつけてはめ込み式にすることも自由である。また、カバー５６は取り外しが簡単にできるように軽く丈夫な材質のものが良く、蝶番等を使用して開閉型にすることも自由である。
【００３９】
電気掃除機を収納しているケーシング６０は前記ケーシング５５と同様に設置する。
ケーシング６０は蛇腹ホース２６を貫通させる穴と電気掃除機の排気部近くの側板は適当な穴を開ける必要がある。
制御ボックス５９は、ごみとり器７０内にとりつけたセンサー、例えば光電スイッチ等（図示せず）のセンサー類と接続して、電気掃除機の起動，停止をコントロールするためのボックスである。
電気掃除機２５とごみとり器７０の接続は、接続パイプ２に電気掃除機２５の蛇腹ホース２６を接続して完了する。
なお、電気関係を自動化するときはセンサー類と制御ボックス及び電源を接続する必要がある。
【００４０】
本実施形態のごみとり器７０は、カバー５６，スクリーン６及びシュート５８が全て簡単に取り外しができるため、ごみとり器自体の清掃も簡単にできる構造となっている。
なお、カバー５６を使用しない構造として、スクリーン６の上面と床面を一致させることも可能である（図示せず）。この場合、毎日の掃除作業をさらに簡単に行うことができる。
また、ケーシング５５のかわりにケーシング５５の下方にシュートを形成して、該シュートの下方に直接、接続パイプ２をとりつけて、蛇腹ホース２６を介して電気掃除機２５に接続することも可能であるが、比較的重い粒状のごみまでがケーシング内に残ることなく、電気掃除機２５に吸い込まれるという欠点がある。
【００４１】
次に、本実施形態のごみとり器７０の作用について説明する。
ごみとり器７０を使用するときはカバー５６を取り外し電気掃除機２５を起動する。
次に、ごみと共に床上を摺べらせて来たモップをスクリーン上に乗せて、モップを前後または、左右にスクリーン６上を移動させると、ごみは下方のシュート５８上に落ち、モップに付着したしつこいごみも幾度かモップをスクリーン６上で移動すると横棒６ｂによってシュート上に落ちる。
シュート５８上に落ちたごみはシュート上を下方に摺り落ち、シュート５８とケーシング５５の中央部の隙間を勢い良く通り、接続パイプ２、蛇腹ホース２６を経由して最柊的に電気掃除機２５に吸い込まれる。
使用後は電気掃除機の電源を切り、カバー５６を元の位置にはめ込んで掃除作業を終了する。
【００４２】
上記説明では人手による電気掃除機の起動，停止を行なっていたが、モップがスクリーン６上に乗ってから電気掃除機が起動し、モップがスクリーン上より離れたら電気掃除機が停止させる等自動，手動の切替付にすることも由由である。
また、上記例では、電気掃除機１台に対してごみとり器７０を１台接続しているが、電気掃除機１台に対して複数台のごみとり器７０を場所を変えて設備し、それぞれのごみとり器と電気掃除機をパイプで接続し各々のごみとり器の接続パイプにバルブを取り付け、使用しているごみとり器のみバルブを開かせ、電気掃除機も起動させる等自動化することも可能である。
さらに、特製の電気掃除機を室外に設置して室内の複数台のごみとり器と接続し使用方法を自動化することも簡単にできる。
【００４３】
本実施形態のごみとり器７０によれば、モップを用いた室内の掃除を楽に、素早く行なうことができる。
また、本実施形態においても、第２実施形態で説明したようなモップのごみの叩き落とし手段を設けても好適である。
また、上述したいずれの実施形態のごみとり器においても、モップ側と電気掃除機との間でコードレスによる信号のやりとりで電気掃除機を起動、停止させることも既存の技術で可能である。
【００４４】
図２２〜２５は、電気掃除機２５とごみとり器７０とを床下に設備する方式の他の実施形態を示す。本実施形態のごみとり器７０は床面と同一の高さ面に、スリット状に開口する吸い込み口を設け、この吸い込み口からごみを吸引するように構成したものである。
図２２は、上方が開口する箱状に形成されたケーシング６０を床下に設置し、電気掃除機２５をケーシング６０内に配置し、電気掃除機２５とごみとり器７０とを蛇腹ホース２６によって連結した状態を示す。ごみとり器７０は上面が開放する箱形に形成されたケーシング５０の開口部にスリット状に開口させるための蓋を脱着自在に設けたものである。ケーシング５０の開口部にはスリット蓋７２と密閉蓋７４とを設けるが、図２２は密閉蓋７４のみを設けた状態を示す。
【００４５】
図２３は、ごみとり器７０の上面図、図２４は図２３のＡ−Ａ断面図、図２５はＢ−Ｂ断面図を示す。本実施形態のごみとり器７０のケーシング５０は細長の箱状に形成されており、長手方向の一方の側面に電気掃除機２５の蛇腹ホース２６と連通させる連結孔７８が設けられている。もちろん、ケーシング５０と蛇腹ホース２６との連結位置は図示例に限るものではなく、ケーシング５０と電気掃除機２５とが連通する位置であれば適宜位置、たとえばケーシング５０の長辺の側面に設けることも可能である。
図２５に示すように、ケーシング５０は取り付け枠７６を介して床８０に吊り下げるようにして取り付けられている。７４は密閉蓋、７２はスリット蓋であり、スリット蓋７２を幅方向に挟む配置で２つの密閉蓋７４が配置され、ケーシング５０の開口部が閉止される。密閉蓋７４はケーシング５０の開口部に装着した状態でケーシング５０との間を密封するように設けられている。
【００４６】
図２３、２５に示すように、スリット蓋７２には長手方向に連通するようにスリット孔が設けられている。スリット孔はケーシング５０から吸い込む際に、吸い込み口の幅を細くし、高速で吸引できるようにするためのものである。したがって、スリット孔の本数や寸法等は適宜設定すればよい。また、スリット蓋７２はその全体が脱着可能であり、スリット蓋７２を取り外すことによってスリット蓋７２の幅寸法の開口とすることができる。
本実施形態のごみとり器では、床面をすべらすようにしてモップを使って掃除し、モップをごみとり器７０の上まで移動してきて電気掃除機２５の吸引作用によってケーシング５０にごみを落とし込むとともに電気掃除機２５に吸い取らせればよい。比較的大きなごみの場合はスリット蓋７２を外してモップからケーシング５０にごみを落とし込むようにし、ごみとり器７０の開口部を横切るようにモップを往復して動かすことによりモップに付着したごみも吸い取ることができる。
【００４７】
モップに毛などがからみあって取りにくい場合には、ケーシング５０にスリット蓋７２を装着し、スリット蓋７２の上を往復させるようにモップを移動させればよい。スリット蓋７２を取り付けたことによって吸いこみ口がしぼられ、高速でかつ強い力でごみを吸引することができ、モップにしつこく付着しているごみであっても容易にモップから取り除くことができる。
床面にごみとり器７０を配置したことによりごみとり操作が容易で、モップに付着したごみも取りやすくなって、使いやすいごみとり器として使用することができる。
なお、モップによって掃除した際に、水とともにごみを掃除するといった場合にも本実施形態のごみとり器が使用できる。ごみに水が含まれている場合に水を吸い取るには、吸引用のポンプをケーシングに取り付け、フィルタによってごみを分離して水を吸引するように構成すればよい。
【００４８】
【発明の効果】
本発明に係るごみとり器によれば、上述したように、ごみとり器に電気掃除機を接続することによって、モップ等を用いた掃除を効率的にかつ手軽に行うことができる。とくに本発明にかかるごみとり器はモップからごみを吸引するようにすることで、モップに付着したごみを強制的に取り除くことができ、これによってきれいに掃除することができる。とくに、モップに付着したごみをとるためのスクリーンにモップを接触させて動かすようにするとモップから容易にごみが落ち、モップに毛などがからみついているような場合でも、電気掃除機による吸気を利用することで効果的にごみを落とすことが可能になる。また、ごみを最終的に電気掃除機で吸引してしまうことができることから、日常の掃除をきわめて容易にかつ手軽に行うことができる。
【図面の簡単な説明】
【図１】本発明の第１実施形態の上面図である。
【図２】第１実施形態の図１のＡ−Ａ断面図である。
【図３】第１実施形態のごみとり器を電気掃除機に接続した概略図である。
【図４】第１実施形態のシュート部の斜視図である。
【図５】第１実施形態のスクリーン部の上面図である。
【図６】第１実施形態のスクリーン部の側面図の部分図である。
【図７】第１実施形態の図１のＢ−Ｂ断面図である。
【図８】第１実施形態のスクリーン６，シュート５を取り外した図１のＡ−Ａ断面図である。
【図９】第１実施形態のごみとり器の変形例の上面図である。
【図１０】図９のＡ−Ａ断面図である。
【図１１】図９のＢ−Ｂ断面図である。
【図１２】スクリーンの上面図、側面図、断面図である。
【図１３】スクリーンの他の構成の上面図、側面図、断面図である。
【図１４】第１実施形態のごみとり器のさらに他の変形例の上面図である。
【図１５】図１４のＡ−Ａ断面図である。
【図１６】本発明の第２実施形態の側面図である。
【図１７】本発明の第２実施形態の正面図である。
【図１８】本発明の第２実施形態のＡ−Ａ断面図である。
【図１９】本発明の第２実施形態のＢ−Ｂ断面図である。
【図２０】本発明の第３実施形態のＡ−Ａ断面図である。
【図２１】本発明の第３実施形態の上面図である
【図２２】第３実施形態のごみとり器の変形例を示す説明図である。
【図２３】ごみとり器の上面図である。
【図２４】図２３のＡ−Ａ断面図である。
【図２５】図２３のＢ−Ｂ断面図である。
【符号の説明】
１  底板
２  接続パイプ
３  側面垂直板
４  後面垂直板
５  シュート
６  スクリーン
７  ゴム足
８  取手
９  ストッパー
１９  ケーシング
２０  ごみとり器
２５  電気掃除機
２６  蛇腹ホース部
２７  パイプ部及びスイッチ部
３１  ケーシング
３２  車輪
３３  モーター
３４  電気掃除機
３５  側路板
３６  蝶番
３７  軸受
５０  ごみとり器
５５  ケーシング
５６  カバー
５７  カバー
５８  シュート
５９  制御ボックス
６０  ケーシング
７０  ごみとり器
７２      スリット蓋
７４      密閉蓋
８１      調節つまみ
８２      長孔
８５      突起体
【図１】
0004121786.tif 000002
【図２】
0004121786.tif 000003
【図３】
0004121786.tif 000004
【図４】
0004121786.tif 000005
【図５】
0004121786.tif 000006
【図６】
0004121786.tif 000007
【図７】
0004121786.tif 000008
【図８】
0004121786.tif 000009
【図９】
0004121786.tif 000010
【図１０】
0004121786.tif 000011
【図１１】
0004121786.tif 000012
【図１２】
0004121786.tif 000013
【図１３】
0004121786.tif 000014
【図１４】
0004121786.tif 000015
【図１５】
0004121786.tif 000016
【図１６】
0004121786.tif 000017
【図１７】
0004121786.tif 000018
【図１８】
0004121786.tif 000019
【図１９】
0004121786.tif 000020
【図２０】
0004121786.tif 000021
【図２１】
0004121786.tif 000022
【図２２】
0004121786.tif 000023
【図２３】
0004121786.tif 000024
【図２４】
0004121786.tif 000025
【図２５】
0004121786.tif 000026